(57)【要約】      （修正有）【課題】軽量で簡潔な構造で取り扱いやすく、粘土細工関係の道具類、原料等の整理、整頓、保管にあたってスペースの効率的利用を可能にし、しかも、幼児らが用具類を簡単に取り出したり収納したりできるようにして、道具類の準備や収納作業も幼児でも自ら容易にできる粘土細工用作業板を提供する。【解決手段】マッドプレート本体とこのマッドプレート本体がその開口部に蓋として装着可能な容器とを具え、前記マッドプレート本体のいずれかの面には粘度細工、砂遊び等の際に型押し用に種々の模様、文字、数字４を表象する溝部を形成し、四隅には複数のストッパー２が設けられて、マッドプレート本体を容器に被せた場合には前記ストッパーが容器の口部内に係合され、前記容器の開口縁部には切り欠きを設けてここに指を掛けてマッドプレート本体を容器からはずし易くして幼児用マッドプレートを構成する。【選択図】図２
0003151278.tif 000002
【実用新案登録請求の範囲】
【請求項１】
粘度細工、砂遊び等の台板として用いる幼児用マッドプレートであって、そのいずれかの面には粘度細工、砂遊び等の際に型押し用に種々の模様、文字、数字を表象する溝部を形成するとともに、四隅には複数のストッパーが設けられて、マッドプレートを容器蓋として使用する場合には前記ストッパーが容器の口部内に係合するようにしたことを特徴とする幼児用マッドプレート。
【請求項２】
請求項１記載のマッドプレートにおいて、マッドプレートの形状寸法は、所定容器の開口部外縁とほぼ同一に形成されるとともに、マッドプレートを前記容器の蓋として使用した場合、前記複数のストッパーが前記所定容器の開口部内縁に当接してマッドプレートを前記容器の開口部に固定載置されるようにしたことを特徴とする幼児用マッドプレート。
【請求項３】
請求項１又は２記載のマッドプレートにおいて、前記ストッパーは環状の突起部と、この環状の突起部内に充填される弾性材とで構成したことを特徴とする幼児用マッドプレート。
【請求項４】
請求項３記載のマッドプレートにおいて、貫通孔部を形成してヒトの指をこの貫通孔部に挿し込んでマッドプレートを吊下できるように構成したことを特徴とする幼児用マッドプレート。
【請求項５】
請求項１ないし４いずれか記載の幼児用マッドプレートにおいて、マッドプレートは透明又は透光性プラスチック材で形成したことを特徴とする幼児用マッドプレート。
【請求項６】
粘度細工、砂遊び等の台板として用いられる幼児用マッドプレートであって、マッドプレート本体とこのマッドプレート本体がその開口部に蓋として装着可能な容器とを具え、前記マッドプレート本体のいずれかの面には粘度細工、砂遊び等の際に型押し用に種々の模様、文字、数字を表象する溝部を形成するとともに、四隅には複数のストッパーが設けられて、マッドプレート本体を容器蓋として使用する場合には前記ストッパーが容器の口部内に係合するようにし、さらに前記容器の開口縁部には切り欠きを設けてここに指を掛けて蓋としてのマッドプレート本体を容器からはずし易くしたことを特徴とする幼児用マッドプレート。
【請求項７】
請求項６記載の幼児用マッドプレートにおいて、マッドプレート本体は透明又は透光性プラスチック材で形成したことを特徴とする幼児用マッドプレート。
【考案の詳細な説明】
【技術分野】
【０００１】
本願考案は、幼児用のマッドプレートに関し、なお詳しくは、幼児が粘度細工、砂遊び
などをするときに台板として使用することができ、収納時にはそのままの状態でしまうか、あるいは所定の容器の蓋として嵌め込んだ状態でしまうこともできるマッドプレートに関するものである。
【背景技術】
【０００２】
通常、幼稚園児、保育園児などの幼児が粘度細工をするときは種々の素材で形成され幅広のまな板に似た作業板などが使用することが多い。  この作業板は、床や地面においてその上で、粘土をこねたり、押し型を使っていろいろなかたどりをするなどの粘度細工をする。  そして、粘土細工を始めるには、台板（作業板）、粘土はもちろん押し型、ヘラなどを準備する必要がある。これらは、通常別個にしまってあるから、その場所から必要なものを取り出してきて用意することになる。
【０００３】
したがって、粘土細工の終了時には、台板（作業板）、粘土はもちろん、ヘラ、こね棒、押し型などの種々のものを、別途の場所にしまうことになる。
【０００４】
なお、本願考案と関連する技術が次の文献において開示されている。
【特許文献１】特開２００６−１３０８２７号公報
【特許文献２】実用新案登録第３０７５３８１号公報
【考案の開示】
【考案が解決しようとする課題】
【０００５】
したがって、家庭ではもちろん、幼稚園、保育園などでも粘土細工用として、作業板、粘土、粘土細工用の各種の作業道具やこれらの収納場所を用意する必要があり、作業の開始にあたっては、収納場所から必要な道具類を個別に準備し、作業時にはこれら種々の道具類が散逸しないように目を配り、作業の終了時には再び、使用したものを集めて所定の周の箇所にきちんと集める必要があり、これらの煩雑な作業は、家庭や幼児教育や幼児保育の現場で大きな負担を強いることになる。  また、作業板や道具類の整理、整頓も容易ではなく、そのうえ場所をとることになる。
【０００６】
さらに、作業板と押し型は別個となっていて、幼児にとっては使用、収納も不便であり、押し型を使わなかったり、押し型だけで粘土細工をすませてしまうことも多い。  従来、前記のような不都合に対処するために、押し型と作業板を一体化し、この一体化したものと所定の容器とを対にしたものが提案されている。  しかしながら、このような従来品は、蓋となる作業板を落とし蓋方式としているから、全体に面積が狭くなり、作業がしづらい。  また、作業板と押し型が一体になったものが、不透明のプラスチック材で製作されているから、押し型に粘土がしっかりと入ったかどうかの確認が難しいうえ、蓋として容器に被せた状態で容器内を一目で確認できないという不都合もある。
【課題を解決するための手段】
【０００７】
本願考案は、粘度細工、砂遊び等の台板として用いる幼児用マッドプレートであって、そのいずれかの面には粘度細工、砂遊び等の際に型押し用に種々の模様、文字、数字を表象する溝部を形成するとともに、四隅には複数のストッパーが設けられて、マッドプレートを容器蓋として使用する場合には前記ストッパーが容器の開口部内に係合するように構成した幼児用マッドプレートを提供して、上記従来の課題を解決しようとするものである。
【０００８】
また、上記のマッドプレートにおいて、マッドプレートの形状寸法は、所定容器の開口部外縁とほぼ同一に形成されるとともに、マッドプレートを前記容器の蓋として使用した場合、前記複数のストッパーが前記所定容器の開口部内縁に当接してマッドプレートを前記容器の開口部に固定載置される構成となすことがある。
【０００９】
さらに、上記いずれかのマッドプレートにおいて、前記ストッパーは環状の突起部と、この環状の突起部内に充填される弾性材とで構成することがある。
【００１０】
段落００１０記載のマッドプレートにおいて、貫通孔部を形成してヒトの指をこの貫通孔部に挿し込んでマッドプレートを吊下できるように構成することがある。
【００１１】
そして、上記いずれかの幼児用マッドプレートにおいて、マッドプレートは透明又は透光性プラスチック材で形成する構成となすことがある。
【００１２】
本願考案はまた、粘度細工、砂遊び等の台板として用いられる幼児用マッドプレートであって、マッドプレート本体とこのマッドプレート本体がその開口部に蓋として装着可能な容器とを具え、前記マッドプレート本体のいずれかの面には粘度細工、砂遊び等の際に型押し用に種々の模様、文字、数字を表象する溝部を形成するとともに、四隅には複数のストッパーが設けられて、マッドプレート本体を容器蓋として使用する場合には前記ストッパーが容器の口部内に係合するようにし、さらに前記容器の開口縁部には切り欠きを設けてここに指を掛けて蓋としてのマッドプレート本体を容器からはずし易く構成した幼児用マッドプレートを提供して上記従来の課題を解決しようとするものである。
【００１３】
また、段落００１２の幼児用マッドプレートにおいて、マッドプレート本体は透明又は透光性プラスチック材で形成する構成となすことがある。
【００１４】
また、段落００１２又は００１３の幼児用マッドプレートを出し入れ自在な引き出しとして引き出し本体に複数段に積層できる構成にしてようにして、粘土細工に使用する原料、道具類をコンパクトに収納して、幼児でも簡単に出し入れができ、整理整頓もやりやすくなり、さらには、狭い場所でも効率的に保管、収納できることになる。
【考案の効果】
【００１５】
本願考案は、軽量であり、かつ簡潔な構造から成り取り扱いやすく、粘土細工関係の道具類、原料等の整理、整頓、保管にあたってスペースの効率的利用を可能にする。
さらには、幼児らが必要な用具類を簡単に取り出すことができるうえ、ひとつの作業の終了ごとに手近な容器にしまい、次の作業ができるので用具類を散逸させてしまうことがない。  そして、道具類の準備や終了作業も幼児らも自ら容易にできるので、幼児らの情操教育に資するところ大きい。
【考案を実施するための最良の形態】
【００１６】
幼児用マッドプレートは、プラスチック材で形成し、形状は幼児用マッドプレートを蓋として使用する相手方の容器にあわせて、方形、円形、楕円形その他に調整し、いずれの場合も寸法は、当該容器の開口部の外縁に一致するか、又は外縁より大きいものにする
【００１７】
また、幼児用マッドプレートは、透明プラスチック材で形成すれば、容器に蓋をした場合に、内容が一目で確認できる。  また、幼児用マッドプレートで型押しする際に、粘土が型のなかにしっかりと収納されているか否かを確認しやすい。
【００１８】
幼児用マッドプレートをマッドプレート本体とこのマッドプレート本体がその開口部に蓋として装着可能な容器とで構成する場合に、マッドプレート本体を蓋とした容器を引き出しとして使用するようにすれば、整理、整頓はより容易になり、比較的狭い場所でも多数の容器付きの幼児用マッドプレートを収納できる。  この実施形態で、引き出し、すなわちマッドプレート本体とこのマッドプレート本体がその開口部に蓋として装着可能な容器とを透明プラスチック材で形成すれば、いつでも容器内を確認できて、収納物をつねにきちんとした状態に保管できその確認も容易である。
【実施例】
【００１９】
次に、図面により本願考案の実施例を説明する。  
図１は、本願に係る幼児用マッドプレートの１実施例を示す斜視図である。図は、幼児用マッドプレートの裏面を表しており、図において、１は、プラスチック材で形成された幼児用マッドプレートであり、裏面の四隅にはストッパー２、２．．が設けられて、この幼児用マッドプレート１を所定の容器の蓋として使用する場合には前記ストッパー２が容器の口部内に係合するようになっている。  また、幼児用マッドプレート１の裏面には後述のように、前記ストッパー２、２．．に併せて粘度細工、砂遊び等の際に型押し用に種々の模様、文字、数字を表象する溝部が形成されている。
【００２０】
前記ストッパー２、２．．．．は環状の突起部２aからなり、この環状の突起部２a内には弾性樹脂材などを充填することがあり、これによって床面などに対して滑りにくくなり幼児用マッドプレート１をしっかりと固定することができる。
【００２１】
また、図１において、３は貫通孔部であり、ヒトの指をこの貫通孔部３に挿し込んでマッドプレート１を吊下できるようし、幼児用マッドプレート１を載置した床面や容器などから持ち上げやすいようにしてある。  なお、マッドプレート１を無色透明又は色付きの透光プラスチック材で形成することもあり、このようなマッドプレート１で容器に蓋をした場合に、内容が一目で確認できる。  また、幼児用マッドプレート１の型押し用溝部に粘土を充填する際に、粘土が型のなかにしっかりと収納されているか否かが確認しやすくなる。
【００２２】
図２は、前記幼児用マッドプレート１の裏面を表す平面図であり、四隅にはストッパー２、２の間には、型押し用に種々の模様、文字、数字の群れ４をそれぞれ表象する複数の溝部が形成されている。
【００２３】
図３は、図２におけるＡ−Ａ線断面図であり、図２に示される模様、文字、数字の群れ４は、溝部（凹部）５に形成され、この溝部５で構成される押し型に粘土を充填して所望の形状の粘土を得ることができる。
【００２４】
上記実施例に係る幼児用マッドプレート１は、これと同形、同寸法の開口外縁を有する容器の蓋として使用することができる。  このとき、幼児用マッドプレート１の外縁部と容器の外縁部は一致し、前記ストッパー２が容器の口部の内縁に当接状態で係合して、蓋として固定されることになる。
【００２５】
図４は、本願請求項６に係る幼児用マッドプレートの斜視図である。  この幼児用マッドプレートＭＰは、マッドプレート本体１１とこのマッドプレート本体１１がその開口部に蓋として装着可能な容器１２とを具えている。  このマッドプレート本体１１は、図１ないし３に示した前記幼児用マッドプレート１とその構成は全く同一である。
【００２６】
すなわち、マッドプレート本体１１の裏面には粘度細工、砂遊び等の際に型押し用に種々の模様、文字、数字を表象する溝部が形成され、四隅には複数のストッパーが設けられて、マッドプレート本体を容器１２の蓋として使用する場合には前記ストッパーが容器１２の口部内に係合するようになっており、さらに前記容器１２の開口縁部には切り欠き１２a,12aが設けられ、ここに指を掛けて蓋としてのマッドプレート本体１１を容器からはずし易くしてある。  
【００２７】
マッドプレート本体１１と容器１２開口部のそれぞれの外縁はその寸法、形状ともに同一に形成されていて、図５に示すように、マッドプレート本体１１は容器１２の開口部の外縁を含めて全体を覆うような蓋として使用することができる。  容器１２には、粘土、ヘラその他の粘土細工用道具が収納されていている。  マッドプレート本体１１を蓋にした容器１２は、積層した状態、又は容器１２を引き出しとして収納できる引き出し装置に収めて保管することもある。  粘土細工を始めるとき、幼児らは容器ごと所定の保管場所から持ち出して、容器１２内から必要なものを準備し、マッドプレート本体１１の裏面を表にした状態で作業をする床面あるいは、容器１２上面において、粘土細工を始めることになる。  
作業の終了後は、粘土やその他の道具類を容器１２内にしまいマッドプレート本体１１で蓋をする。  作業に当たり、容器１２は常に手近かに置いておけるから、道具類が散逸してしまうおそれが少ない。  
【００２８】
段落００２４以下に述べた幼児用マッドプレートにおいて、マッドプレート本体１１、容器１２を透明プラスチック材で形成すれば、容器１２内容が一目で確認できる。  また、マッドプレート本体１１の型押し用溝部に粘土を充填する際に、粘土が型のなかにしっかりと収納されているか否かが確認しやすくなる。
【図面の簡単な説明】
【００２９】
【図１】幼児用マッドプレートの１実施例を示す斜視図である。
【図２】図１に示す前記幼児用マッドプレートの裏面を表す平面図である。
【図３】図２におけるＡ−Ａ線断面図である。
【図４】他の実施例に係る幼児用マッドプレートを示す分解斜視図で、マッドプレート本体１と容器１２の関連構成を示している。
【図５】図４に示す実施例で、マッドプレート本体１１で容器１２の開口部に蓋をした状態を示す斜視図である。
【符号の説明】
【００３０】
１．．．．．．．幼児用マッドプレート
２．．．．．．．ストッパー
２ａ．．．．．．環状の突起部
３．．．．．．．貫通孔部
４．．．．．．．模様、文字、数字の群れ
５．．．．．．．溝部
ＭＰ．．．．．．幼児用マッドプレート
１１．．．．．．マッドプレート本体
１２．．．．．．容器
【図１】
0003151278.tif 000003
【図２】
0003151278.tif 000004
【図３】
0003151278.tif 000005
【図４】
0003151278.tif 000006
【図５】
0003151278.tif 000007
【手続補正書】
【提出日】平成21年3月26日(2009.3.26)
【手続補正１】
【補正対象書類名】実用新案登録請求の範囲
【補正対象項目名】全文
【補正方法】変更
【補正の内容】
【実用新案登録請求の範囲】
【請求項１】
粘土細工、砂遊び等の台板として用いる幼児用マッドプレートであって、そのいずれかの面には粘土細工、砂遊び等の際に型押し用に種々の模様、文字、数字を表象する溝部を形成するとともに、四隅には複数のストッパーが設けられて、マッドプレートを容器蓋として使用する場合には前記ストッパーが容器の口部内に係合するようにしたことを特徴とする幼児用マッドプレート。
【請求項２】
請求項１記載のマッドプレートにおいて、マッドプレートの形状寸法は、所定容器の開口部外縁とほぼ同一に形成されるとともに、マッドプレートを前記容器の蓋として使用した場合、前記複数のストッパーが前記所定容器の開口部内縁に当接してマッドプレートを前記容器の開口部に固定載置されるようにしたことを特徴とする幼児用マッドプレート。
【請求項３】
請求項１又は２記載のマッドプレートにおいて、前記ストッパーは環状の突起部と、この環状の突起部内に充填される弾性材とで構成したことを特徴とする幼児用マッドプレート。
【請求項４】
請求項３記載のマッドプレートにおいて、貫通孔部を形成してヒトの指をこの貫通孔部に挿し込んでマッドプレートを吊下できるように構成したことを特徴とする幼児用マッドプレート。
【請求項５】
請求項１ないし４いずれか記載の幼児用マッドプレートにおいて、マッドプレートは透明又は透光性プラスチック材で形成したことを特徴とする幼児用マッドプレート。
【請求項６】
粘土細工、砂遊び等の台板として用いられる幼児用マッドプレートであって、マッドプレート本体とこのマッドプレート本体がその開口部に蓋として装着可能な容器とを具え、前記マッドプレート本体のいずれかの面には粘土細工、砂遊び等の際に型押し用に種々の模様、文字、数字を表象する溝部を形成するとともに、四隅には複数のストッパーが設けられて、マッドプレート本体を容器蓋として使用する場合には前記ストッパーが容器の口部内に係合するようにし、さらに前記容器の開口縁部には切り欠きを設けてここに指を掛けて蓋としてのマッドプレート本体を容器からはずし易くしたことを特徴とする幼児用マッドプレート。
【請求項７】
請求項６記載の幼児用マッドプレートにおいて、マッドプレート本体は透明又は透光性プラスチック材で形成したことを特徴とする幼児用マッドプレート。
【手続補正２】
【補正対象書類名】明細書
【補正対象項目名】全文
【補正方法】変更
【補正の内容】
【考案の詳細な説明】
【技術分野】
【０００１】
本願考案は、幼児用のマッドプレートに関し、なお詳しくは、幼児が粘土細工、砂遊びなどをするときに台板として使用することができ、収納時にはそのままの状態でしまうか、あるいは所定の容器の蓋として嵌め込んだ状態でしまうこともできるマッドプレートに関するものである。
【背景技術】
【０００２】
通常、幼稚園児、保育園児などの幼児が粘土細工をするときは種々の素材で形成され幅広のまな板に似た作業板などが使用することが多い。  この作業板は、床や地面においてその上で、粘土をこねたり、押し型を使っていろいろなかたどりをするなどの粘土細工をする。  そして、粘土細工を始めるには、台板（作業板）、粘土はもちろん押し型、ヘラなどを準備する必要がある。これらは、通常別個にしまってあるから、その場所から必要なものを取り出してきて用意することになる。
【０００３】
したがって、粘土細工の終了時には、台板（作業板）、粘土はもちろん、ヘラ、こね棒、押し型などの種々のものを、別途の場所にしまうことになる。
【０００４】
なお、本願考案と関連する技術が次の文献において開示されている。
【特許文献１】特開２００６−１３０８２７号公報
【特許文献２】実用新案登録第３０７５３８１号公報
【考案の開示】
【考案が解決しようとする課題】
【０００５】
したがって、家庭ではもちろん、幼稚園、保育園などでも粘土細工用として、作業板、粘土、粘土細工用の各種の作業道具やこれらの収納場所を用意する必要があり、作業の開始にあたっては、収納場所から必要な道具類を個別に準備し、作業時にはこれら種々の道具類が散逸しないように目を配り、作業の終了時には再び、使用したものを集めて所定の周の箇所にきちんと集める必要があり、これらの煩雑な作業は、家庭や幼児教育や幼児保育の現場で大きな負担を強いることになる。  また、作業板や道具類の整理、整頓も容易ではなく、そのうえ場所をとることになる。
【０００６】
さらに、作業板と押し型は別個となっていて、幼児にとっては使用、収納も不便であり、押し型を使わなかったり、押し型だけで粘土細工をすませてしまうことも多い。  従来、前記のような不都合に対処するために、押し型と作業板を一体化し、この一体化したものと所定の容器とを対にしたものが提案されている。  しかしながら、このような従来品は、蓋となる作業板を落とし蓋方式としているから、全体に面積が狭くなり、作業がしづらい。  また、作業板と押し型が一体になったものが、不透明のプラスチック材で製作されているから、押し型に粘土がしっかりと入ったかどうかの確認が難しいうえ、蓋として容器に被せた状態で容器内を一目で確認できないという不都合もある。
【課題を解決するための手段】
【０００７】
本願考案は、粘土細工、砂遊び等の台板として用いる幼児用マッドプレートであって、そのいずれかの面には粘土細工、砂遊び等の際に型押し用に種々の模様、文字、数字を表象する溝部を形成するとともに、四隅には複数のストッパーが設けられて、マッドプレートを容器蓋として使用する場合には前記ストッパーが容器の開口部内に係合するように構成した幼児用マッドプレートを提供して、上記従来の課題を解決しようとするものである。
【０００８】
また、上記のマッドプレートにおいて、マッドプレートの形状寸法は、所定容器の開口部外縁とほぼ同一に形成されるとともに、マッドプレートを前記容器の蓋として使用した場合、前記複数のストッパーが前記所定容器の開口部内縁に当接してマッドプレートを前記容器の開口部に固定載置される構成となすことがある。
【０００９】
さらに、上記いずれかのマッドプレートにおいて、前記ストッパーは環状の突起部と、この環状の突起部内に充填される弾性材とで構成することがある。
【００１０】
段落００１０記載のマッドプレートにおいて、貫通孔部を形成してヒトの指をこの貫通孔部に挿し込んでマッドプレートを吊下できるように構成することがある。
【００１１】
そして、上記いずれかの幼児用マッドプレートにおいて、マッドプレートは透明又は透光性プラスチック材で形成する構成となすことがある。
【００１２】
本願考案はまた、粘土細工、砂遊び等の台板として用いられる幼児用マッドプレートであって、マッドプレート本体とこのマッドプレート本体がその開口部に蓋として装着可能な容器とを具え、前記マッドプレート本体のいずれかの面には粘土細工、砂遊び等の際に型押し用に種々の模様、文字、数字を表象する溝部を形成するとともに、四隅には複数のストッパーが設けられて、マッドプレート本体を容器蓋として使用する場合には前記ストッパーが容器の口部内に係合するようにし、さらに前記容器の開口縁部には切り欠きを設けてここに指を掛けて蓋としてのマッドプレート本体を容器からはずし易く構成した幼児用マッドプレートを提供して上記従来の課題を解決しようとするものである。
【００１３】
また、段落００１２の幼児用マッドプレートにおいて、マッドプレート本体は透明又は透光性プラスチック材で形成する構成となすことがある。
【００１４】
また、段落００１２又は００１３の幼児用マッドプレートを出し入れ自在な引き出しとして引き出し本体に複数段に積層できる構成にしてようにして、粘土細工に使用する原料、道具類をコンパクトに収納して、幼児でも簡単に出し入れができ、整理整頓もやりやすくなり、さらには、狭い場所でも効率的に保管、収納できることになる。
【考案の効果】
【００１５】
本願考案は、軽量であり、かつ簡潔な構造から成り取り扱いやすく、粘土細工関係の道具類、原料等の整理、整頓、保管にあたってスペースの効率的利用を可能にする。
さらには、幼児らが必要な用具類を簡単に取り出すことができるうえ、ひとつの作業の終了ごとに手近な容器にしまい、次の作業ができるので用具類を散逸させてしまうことがない。  そして、道具類の準備や終了作業も幼児らも自ら容易にできるので、幼児らの情操教育に資するところ大きい。
【考案を実施するための最良の形態】
【００１６】
幼児用マッドプレートは、プラスチック材で形成し、形状は幼児用マッドプレートを蓋として使用する相手方の容器にあわせて、方形、円形、楕円形その他に調整し、いずれの場合も寸法は、当該容器の開口部の外縁に一致するか、又は外縁より大きいものにする
【００１７】
また、幼児用マッドプレートは、透明プラスチック材で形成すれば、容器に蓋をした場合に、内容が一目で確認できる。  また、幼児用マッドプレートで型押しする際に、粘土が型のなかにしっかりと収納されているか否かを確認しやすい。
【００１８】
幼児用マッドプレートをマッドプレート本体とこのマッドプレート本体がその開口部に蓋として装着可能な容器とで構成する場合に、マッドプレート本体を蓋とした容器を引き出しとして使用するようにすれば、整理、整頓はより容易になり、比較的狭い場所でも多数の容器付きの幼児用マッドプレートを収納できる。  この実施形態で、引き出し、すなわちマッドプレート本体とこのマッドプレート本体がその開口部に蓋として装着可能な容器とを透明プラスチック材で形成すれば、いつでも容器内を確認できて、収納物をつねにきちんとした状態に保管できその確認も容易である。
【実施例】
【００１９】
次に、図面により本願考案の実施例を説明する。  
図１は、本願に係る幼児用マッドプレートの１実施例を示す斜視図である。図は、幼児用マッドプレートの裏面を表しており、図において、１は、プラスチック材で形成された幼児用マッドプレートであり、裏面の四隅にはストッパー２、２．．が設けられて、この幼児用マッドプレート１を所定の容器の蓋として使用する場合には前記ストッパー２が容器の口部内に係合するようになっている。  また、幼児用マッドプレート１の裏面には後述のように、前記ストッパー２、２．．に併せて粘土細工、砂遊び等の際に型押し用に種々の模様、文字、数字を表象する溝部が形成されている。
【００２０】
前記ストッパー２、２．．．．は環状の突起部２aからなり、この環状の突起部２a内には弾性樹脂材などを充填することがあり、これによって床面などに対して滑りにくくなり幼児用マッドプレート１をしっかりと固定することができる。
【００２１】
また、図１において、３は貫通孔部であり、ヒトの指をこの貫通孔部３に挿し込んでマッドプレート１を吊下できるようし、幼児用マッドプレート１を載置した床面や容器などから持ち上げやすいようにしてある。  なお、マッドプレート１を無色透明又は色付きの透光プラスチック材で形成することもあり、このようなマッドプレート１で容器に蓋をした場合に、内容が一目で確認できる。  また、幼児用マッドプレート１の型押し用溝部に粘土を充填する際に、粘土が型のなかにしっかりと収納されているか否かが確認しやすくなる。
【００２２】
図２は、前記幼児用マッドプレート１の裏面を表す平面図であり、四隅にはストッパー２、２の間には、型押し用に種々の模様、文字、数字の群れ４をそれぞれ表象する複数の溝部が形成されている。
【００２３】
図３は、図２におけるＡ−Ａ線断面図であり、図２に示される模様、文字、数字の群れ４は、溝部（凹部）５に形成され、この溝部５で構成される押し型に粘土を充填して所望の形状の粘土を得ることができる。
【００２４】
上記実施例に係る幼児用マッドプレート１は、これと同形、同寸法の開口外縁を有する容器の蓋として使用することができる。  このとき、幼児用マッドプレート１の外縁部と容器の外縁部は一致し、前記ストッパー２が容器の口部の内縁に当接状態で係合して、蓋として固定されることになる。
【００２５】
図４は、本願請求項６に係る幼児用マッドプレートの斜視図である。  この幼児用マッドプレートＭＰは、マッドプレート本体１１とこのマッドプレート本体１１がその開口部に蓋として装着可能な容器１２とを具えている。  このマッドプレート本体１１は、図１ないし３に示した前記幼児用マッドプレート１とその構成は全く同一である。
【００２６】
すなわち、マッドプレート本体１１の裏面には粘土細工、砂遊び等の際に型押し用に種々の模様、文字、数字を表象する溝部が形成され、四隅には複数のストッパーが設けられて、マッドプレート本体を容器１２の蓋として使用する場合には前記ストッパーが容器１２の口部内に係合するようになっており、さらに前記容器１２の開口縁部には切り欠き１２a,12aが設けられ、ここに指を掛けて蓋としてのマッドプレート本体１１を容器からはずし易くしてある。  
【００２７】
マッドプレート本体１１と容器１２開口部のそれぞれの外縁はその寸法、形状ともに同一に形成されていて、図５に示すように、マッドプレート本体１１は容器１２の開口部の外縁を含めて全体を覆うような蓋として使用することができる。  容器１２には、粘土、ヘラその他の粘土細工用道具が収納されていている。  マッドプレート本体１１を蓋にした容器１２は、積層した状態、又は容器１２を引き出しとして収納できる引き出し装置に収めて保管することもある。  粘土細工を始めるとき、幼児らは容器ごと所定の保管場所から持ち出して、容器１２内から必要なものを準備し、マッドプレート本体１１の裏面を表にした状態で作業をする床面あるいは、容器１２上面において、粘土細工を始めることになる。  
作業の終了後は、粘土やその他の道具類を容器１２内にしまいマッドプレート本体１１で蓋をする。  作業に当たり、容器１２は常に手近かに置いておけるから、道具類が散逸してしまうおそれが少ない。  
【００２８】
段落００２４以下に述べた幼児用マッドプレートにおいて、マッドプレート本体１１、容器１２を透明プラスチック材で形成すれば、容器１２内容が一目で確認できる。  また、マッドプレート本体１１の型押し用溝部に粘土を充填する際に、粘土が型のなかにしっかりと収納されているか否かが確認しやすくなる。
【図面の簡単な説明】
【００２９】
【図１】幼児用マッドプレートの１実施例を示す斜視図である。
【図２】図１に示す前記幼児用マッドプレートの裏面を表す平面図である。
【図３】図２におけるＡ−Ａ線断面図である。
【図４】他の実施例に係る幼児用マッドプレートを示す分解斜視図で、マッドプレート本体１と容器１２の関連構成を示している。
【図５】図４に示す実施例で、マッドプレート本体１１で容器１２の開口部に蓋をした状態を示す斜視図である。
【符号の説明】
【００３０】
１．．．．．．．幼児用マッドプレート
２．．．．．．．ストッパー
２ａ．．．．．．環状の突起部
３．．．．．．．貫通孔部
４．．．．．．．模様、文字、数字の群れ
５．．．．．．．溝部
ＭＰ．．．．．．幼児用マッドプレート
１１．．．．．．マッドプレート本体
１２．．．．．．容器